(57)【要約】【課題】画像の投影を行う際に、外部電源からの電力を用い、安定した状態で容易に画像投影を行うことができるプロジェクタを提供する。【解決手段】画像を投影する投影部を内蔵する筐体３と、前記筐体３が固定される被固定部と接する固定接面を除く、前記筐体３の他の面に外部電源と接続するための接続部２０とを備える。【選択図】図１
2010066425.tif 000002
【特許請求の範囲】
【請求項１】
画像を投影する投影部を内蔵する筐体と、
前記筐体が固定される被固定部と接する固定接面を除く、前記筐体の他の面に外部電源と接続するための接続部を備えることを特徴とするプロジェクタ。
【請求項２】
前記筐体は、略直方体の形状であり、
前記筐体の前面には、前記画像を投影する投影窓が設けられ、
前記固定接面は、前記筐体の底面であり、
前記接続部は、前記筐体の側面に設けられていることを特徴とする請求項１記載のプロジェクタ。
【請求項３】
前記接続部は、前記筐体の側面の中央より前記底面側に設けられていることを特徴とする請求項２記載のプロジェクタ。
【発明の詳細な説明】
【技術分野】
【０００１】
本発明は、プロジェクタに関するものである。
【背景技術】
【０００２】
従来、プロジェクタ機能を備えたカメラをクレードルに設置し、クレードルを介して外部電源からの電力をカメラに供給する技術が知られている(例えば、特許文献１参照)。
【特許文献１】特開２００７−４７５７７号公報
【発明の開示】
【発明が解決しようとする課題】
【０００３】
ところで、上述のプロジェクタ機能を備えたカメラ等において画像投影を行う場合、投影する画像がふらつかないように筐体を三脚やクレードル等で固定して行われることがある。また、画像の投影を長時間行う場合には、外部電源からの電力を用いて行われる。しかしながら、特許文献１に記載されているようなクレードルを常に携行しているとは限らず、テーブル等の平面に置いた状態でも、外部電源からの電力を用いて画像がふらつかないように画像投影を行いたいという要望がある。
【０００４】
本発明の目的は、画像の投影を行う際に、外部電源からの電力を用い、安定した状態で容易に画像投影を行うことができるプロジェクタを提供することである。
【課題を解決するための手段】
【０００５】
本発明のプロジェクタは、画像を投影する投影部を内蔵する筐体と、前記筐体が固定される被固定部と接する固定接面を除く、前記筐体の他の面に外部電源と接続するための接続部を備える。
【発明の効果】
【０００６】
本発明のプロジェクタによれば、画像の投影を行う際に、外部電源からの電力を用い、安定した状態で容易に画像投影を行うことができる。
【発明を実施するための最良の形態】
【０００７】
以下、本発明の第１の実施形態に係るプロジェクタ機能を備えたカメラについて説明する。図１は、本実施形態に係るカメラの前面から見た外観を示す斜視図である。図１に示すように、カメラ２の筐体３は、アルミニウム板金等の金属からなる前カバー４及び後カバー６を備え、前カバー４には、撮影窓８、プロジェクタ投影窓１０、撮影用のオートフォーカス補助ランプ窓１１、及びフラッシュ光が射出されるフラッシュ窓１２が設けられている。
【０００８】
また、筐体３の上部には、電源スイッチ１４、レリーズ動作を指示するシャッタボタン１６、カメラ撮影を行う撮影モードとプロジェクタ投影を行うプロジェクタモードとを切り替えるモード切替ボタン１８、プロジェクタ投影時の投影画像のピント調整を行うための操作レバーであるプロジェクタフォーカスレバー１９等が設けられている。
【０００９】
筐体３の側面７の上下方向の中央部より底面側には、図示しない外部電源からの電力を筐体３内部に供給するための外部電源コネクタ４０を接続するコネクタ接続部２０が設けられている。なお、外部電源コネクタ４０には図示しないＡＣアダプタが接続されており、商用電源と接続されたＡＣアダプタは交流電源を直流電力に変換し、外部電源コネクタ４０を介してカメラ２の各部に電力を供給する。
【００１０】
図２は、カメラ２を背面から見た外観を示す斜視図である。図２に示す様に、後カバー６には、撮影画像の表示や再生等を行う液晶ディスプレイ２１、液晶ディスプレイ２１に表示された撮影条件等を選択するマルチセレクタ等を備える操作ボタン２２が設けられている。本実施形態では、カメラ２を固定する際の三脚やテーブル等と接する筐体３の底面２３が固定接面であり、底面２３には、筐体３内に電池を収納するための収納蓋２４、及び筐体３を三脚に固定するための三脚座２５が設けられている。
【００１１】
図３は、カメラ２の筐体３に収納されている各ユニットの配置を概略的に示した正面図である。図３に示すように、筐体３の略中央には、画像データを投影するための液晶パネル、投影レンズ、投影用光源であるＬＥＤ等を含むプロジェクタユニット２８が配置されている。また、プロジェクタユニット２８の正面から見た右側には、被写体を撮像するための撮像素子、撮影レンズ、撮像信号に対して画像処理を行うＡＳＩＣ等を含む撮像ユニット２６が配置され、プロジェクタユニット２８の正面から見た左側には、プロジェクタユニット２８及び撮像ユニット２６に電力を供給する電池を収納する電池室３０が設けられている。なお、筐体３内には、撮像ユニット２６やプロジェクタユニット２８等の各部を制御するＣＰＵ(不図示)が備えられており、ＣＰＵは、外部電源コネクタ４０がコネクタ接続部２０に接続された場合、外部電源コネクタ４０及びコネクタ接続部２０を介して外部電源からの電力をプロジェクタユニット２８及び撮像ユニット２６に供給する。
【００１２】
上述したように、本実施形態では、コネクタ接続部２０が筐体３の側面７に設けられているので、テーブル等の上に筐体３の底面が接するように置いた状態でも、外部電源からの電力をプロジェクタユニット２８に供給しながら画像を投影することができる。また、三脚等で筐体３の底面を固定させなくとも、筐体３の側面７の中央より底面２３側に設けられたコネクタ接続部２０に接続された外部電源コネクタ４０の重みにより、筐体３のふらつきを防止することができ、画像の投影を安定した状態で行うことができる。
【００１３】
次に、本発明の第２の実施形態に係るプロジェクタ機能を備えたカメラについて説明する。図４は、本実施形態に係るカメラの前面から見た筐体内のユニットの配置を概略的に示した斜視図である。なお、本実施形態に係るカメラは、上述した第１の実施形態に係るカメラ２と同一の構成を備えており、第１の実施形態に係るカメラと同一の構成には同一の符号を付している。以下、上述した第１の実施形態と異なる部分について説明する。
【００１４】
本実施形態における外部電源コネクタ３１は、電池室３０に収納可能な電池型の形状をしており、ＡＣアダプタ(不図示)と接続するための接続ケーブル３１Ｂを、外部電源コネクタ３１の筐体３における側面７近傍に設けられた収納部３１Ａに巻き上げて収納することができる。外部電源コネクタ３１は、電池室３０に収納される電池と同様、電池室３０における電池接片３１Ｃと接続されるように収納される。また、カメラ２の側面７の中央より底面側に、電池室３０に収納された外部電源コネクタ３１の収納部３１から接続ケーブル３１Ｂを筐体３の外部へ引き出すケーブル引出し蓋２０Ａが設けられている。
【００１５】
従って、本実施形態では、カメラ２の底面２３に設けられた収納蓋２４を開放して外部電源コネクタ３１を電池室３０に収納し、収納蓋２４を閉塞する。そして、ケーブル引出し蓋２０Ａを開放して接続ケーブル４１を引き出し、外部電源と接続されたＡＣアダプタ(不図示)に接続ケーブル４１を接続することにより、外部電源から電力を供給する。
【００１６】
本実施形態の場合、カメラ２の側面７の中央より底面側に設けたケーブル引出し蓋２０Ａから接続ケーブル３１Ｂを引き出すことができる。そのため、テーブル等の平面上にカメラ２の底面を下にして置いた状態で、外部電源からの電力を用いてプロジェクタユニットによる画像投影を行っても、筐体３がふらつかずに安定した状態で画像を投影することができる。
【００１７】
尚、上述した第１及び第２の実施形態では、プロジェクタ機能を備えたカメラを用いて説明したが、プロジェクタやカメラ以外の機能を備えたプロジェクタであってもよい。
【００１８】
また、上述した第１及び第２の実施形態では、コネクタ接続部２０及びケーブル引出し蓋２０Ａを筐体３の左側面７の中央より底面側に設けるものとして説明したが、中央より上面側に設けるようにしてもよいし、筐体３の固定接面である底面２３を除く右側面、背面、又は上面に設けるようにしてもよい。
【図面の簡単な説明】
【００１９】
【図１】第１の実施形態に係るカメラの正面から見た外観を示す斜視図である。
【図２】第１の実施形態に係るカメラの背面から見た外観を示す斜視図である。
【図３】第１の実施形態に係るカメラの正面から見た筐体内の各ユニットの配置を示す概略図である。
【図４】第２の実施形態に係るカメラの正面から見た筐体内の各ユニットの配置を示す概略図である。
【符号の説明】
【００２０】
２・・・カメラ、３…筐体、４…前カバー、６…後カバー、２０…コネクタ接続部、２０Ａ…ケーブル引出し蓋、２４・・・収納蓋、２６…撮像ユニット、２８…プロジェクタユニット、３０…電池室、３１，４０…外部電源コネクタ、３１Ａ…収納部、３１Ｂ…接続ケーブル、３１Ｃ…電池切片
【図１】
2010066425.tif 000003
【図２】
2010066425.tif 000004
【図３】
2010066425.tif 000005
【図４】
2010066425.tif 000006